(57)【要約】【課題】高価なコネクタを使用せずに済む安価なタイムレコーダを提供する。【解決手段】標準時刻電波を受信する電波受信ユニット２０と、時刻を刻む時時刻手段とこの時刻手段が刻む時刻を表示する表示手段とこの表示手段に表示される時刻をタイムカードに印字する印字手段とを有するタイムレコーダ本体２とを備え、電波受信ユニット２０が受信する標準時刻電波に基づいて時刻手段の時刻を修正するタイムレコーダであって、電波受信ユニット２０を着脱自在に装着するホルダー１０をタイムレコーダ本体２に設け、電波受信ユニット２０に標準時刻電波を受信する時刻電波受信手段を設け、タイムレコーダ本体２に前記時刻の修正と印字手段の制御を行う制御手段を設けた。【選択図】  図３
2004164015.tif 000002
【特許請求の範囲】
【請求項１】
時刻信号を受信する電波受信ユニットと、時刻を刻む時刻手段とこの時刻手段が刻む時刻を表示する表示手段とこの表示手段に表示される時刻をタイムカードに印字する印字手段とを有するタイムレコーダ本体とを備え、前記電波受信ユニットが受信する時刻信号に基づいて時刻手段の時刻を修正するタイムレコーダであって、
前記電波受信ユニットを着脱自在に装着するホルダをタイムレコーダ本体に設け、
前記電波受信ユニットに時刻信号を受信する時刻電波受信手段を設け、
前記タイムレコーダ本体に前記時刻の修正と印字手段の制御を行う制御手段を設けたことを特徴とするタイムレコーダ。
【請求項２】
時刻信号を受信する電波受信ユニットと、時刻を刻む時刻手段とこの時刻手段が刻む時刻を表示する表示手段とこの表示手段に表示される時刻をタイムカードに印字する印字手段とを有するタイムレコーダ本体とを備え、前記電波受信ユニットが受信する時刻信号に基づいて時刻手段の時刻を修正するタイムレコーダであって、
前記電波受信ユニットに時刻信号を受信する時刻電波受信手段を設け、
前記タイムレコーダ本体に前記時刻の修正と印字手段の制御を行う制御手段を設け、
前記電波受信ユニットをタイムカードラックに着脱可能に設けたことを特徴とするタイムレコーダ。
【発明の詳細な説明】
【０００１】
【発明の属する技術分野】
この発明は、タイムカードに出社時間や退社時間等を記録するタイムレコーダに関する。
【０００２】
【従来の技術】
従来から、図１０および図１１に示すように時刻電波受信回路を有する装着ユニット１０５と、タイムレコーダ本体１０１とを備えたタイムレコーダが知られている（特許文献１参照）。
【０００３】
かかるタイムレコーダは、装着ユニット１０５をタイムレコーダ本体１０１に着脱自在に装着できるようにしたものである。そして、時刻などを表示する表示器１０６と、標準時刻電波を受信するアンテナ１０８と、このアンテナ１０８が受信した標準時刻電波から時刻データを検波する時刻電波受信回路１１０と、時刻を刻む時計回路１１２と、時計回路１１２の時刻を修正したり表示器１０６の表示制御やその他の制御等を行ったりする制御装置１１３とが装着ユニット１０５に設けられている。
【０００４】
また、図示しないタイムカードを検知するカードセンサ１２０と、カード挿入口１０２に挿入されたタイムカードを所定位置まで引き込む駆動モータ１２１と、この駆動モータ１２１によって引き込まれたタイムカードに時刻を印字する印字ヘッド１２２と、この印字ヘッド１２２を駆動させるドライバ１２３と、駆動モータ１２１を駆動させるドライバ１２４と、制御プログラムを記憶したＲＯＭ１２５と、時刻データ等を記憶するＲＡＭ１２６等とがタイムレコーダ本体１０１に設けられている。また、装着ユニット１０５には図示しない充電池が内蔵され、この充電池によって各回路１１０，１１２や制御装置１１３等が動作するようになっている。
【０００５】
このような構成のタイムレコーダによれば、装着ユニット１０５をタイムレコーダ本体１０１から外し、この装着ユニット１０５を標準時刻電波を確実に受信することのできる窓際などに置く。所定の時刻になると、制御装置１１３は時刻電波受信回路１１０を動作させ、時刻電波受信回路１１０はアンテナ１０８が受信した標準時刻電波から時刻データを検波する。制御装置１１３は検波によって得られた時刻データに基づいて時計回路１１２の時刻を修正するとともに表示器１０６に表示されている時刻を修正する。
【０００６】
そして、翌朝、すなわちタイムレコーダが使用される前に装着ユニット１０５をタイムレコーダ本体１０１に装着させる。そして、タイムカードがカード挿入口１０２に挿入されると、上記と同様にして、タイムカードに表示器１０６に表示されている時刻が印字される。表示器１０６の時刻は修正されているので、常に正確な時刻をタイムカードに印字することができることになる。
【０００７】
【特許文献１】
特開２００１−２３６５３４号公報（段落００１０〜００２１、図２および図３）
【０００８】
【発明が解決しようとする課題】
しかしながら、このようなタイムレコーダにあっては、装着ユニット１０５をタイムレコーダ本体１０１に装着させて制御装置１１３とドライバ１２３，１２４やＲＯＭ１２５，ＲＡＭ１２６やカードセンサ１２０とを電気的に接続するために、雌コネクタ１０７を装着ユニット１０５に設け、雄コネクタ１１５をタイムレコーダ本体１０１に設けるが、その電気的に接続するものの数が多いことによりコネク１０７，１１５のピンの数の多いものを使用なければならず、この例では３２本のピンのコネクタ１０７，１１５を使用しなければならない。このため、コネクタ１０７，１１５は高価なものとなり、結果的にタイムレコーダは高価なものになってしまう問題があった。
【０００９】
この発明の目的は、高価なコネクタを使用せずに済む安価なタイムレコーダを提供することにある。
【００１０】
【課題を解決するための手段】
上記目的を達成するため、請求項１の発明は、時刻信号を受信する電波受信ユニットと、時刻を刻む時刻手段とこの時刻手段が刻む時刻を表示する表示手段とこの表示手段に表示される時刻をタイムカードに印字する印字手段とを有するタイムレコーダ本体とを備え、前記電波受信ユニットが受信する時刻信号に基づいて時刻手段の時刻を修正するタイムレコーダであって、
前記電波受信ユニットを着脱自在に装着するホルダをタイムレコーダ本体に設け、
前記電波受信ユニットに時刻信号を受信する時刻電波受信手段を設け、
前記タイムレコーダ本体に前記時刻の修正と印字手段の制御を行う制御手段を設けたことを特徴とする。
【００１１】
請求項２の発明は、時刻信号を受信する電波受信ユニットと、時刻を刻む時刻手段とこの時刻手段が刻む時刻を表示する表示手段とこの表示手段に表示される時刻をタイムカードに印字する印字手段とを有するタイムレコーダ本体とを備え、前記電波受信ユニットが受信する時刻信号に基づいて時刻手段の時刻を修正するタイムレコーダであって、
前記電波受信ユニットに時刻信号を受信する時刻電波受信手段を設け、
前記タイムレコーダ本体に前記時刻の修正と印字手段の制御を行う制御手段を設け、
前記電波受信ユニットをタイムカードラックに着脱可能に設けたことを特徴とする。
【００１２】
【発明の実施の形態】
以下、この発明に係わるタイムレコーダの実施の形態を図面に基づいて説明する。
【００１３】
図１において、１はタイムレコーダであり、このタイムレコーダ１はタイムレコーダ本体２と電波受信ユニット２０とを備えている。
【００１４】
タイムレコーダ本体２の上面にはタイムカード（図示せず）を挿入するカード挿入口３が設けられている。タイムレコーダ本体２の前面の上部には時刻などを表示する表示部（表示手段）４が設けられている。
【００１５】
また、タイムレコーダ本体２の背板５には、図２ないし図４に示すように電波受信ユニット２０を着脱自在に装着するホルダ１０が取り付けられている。
【００１６】
ホルダ１０は、図５ないし図７に示すように、タイムレコーダ本体２の背板５にネジＮにより固定する平板状の取付板部１１を有している。この取付板部１１の両側には上下に延びるとともに後方（タイムレコーダ本体２の反対側）へ突出したフランジ１２，１２（図２参照）が形成され、このフランジ１２，１２の上部１２Ａ，１２Ａが取付板部１１から上方に突出している。その上部１２Ａ，１２Ａの内側には、電波受信ユニット２０のユニットケース２３の側面に当接する当接部１３，１３が形成されている。
【００１７】
また、取付板部１１の上端部には、後方に突出するとともに電波受信ユニット２０のユニットケース２３の底面に当接する板状の一対の保持部１４，１４が形成され、この保持部１４，１４の先端には上方に延びるとともにそのユニットケース２３の背面に当接する当接部１５，１５が形成されている。取付板部１１の下部の後面１１Ａには、ケーブル４１を巻き付けるための一対の巻付枠１６，１６が設けられている。
【００１８】
なお、前記ホルダ１０を上下に伸縮自在に構成したり又は回動自在に構成することで、電波受信ユニット２０の受信性能を向上させるようにしてもよい。
【００１９】
電波受信ユニット２０は、図８に示すように、標準時刻電波（時刻信号）を受信するアンテナ２１と、このアンテナ２１が受信した時刻信号から時刻データを検波する時刻電波受信回路（時刻電波受信手段）２２等とを備えている。アンテナ２１は筺体状のユニットケース２３（図１参照）に取り付けられており、このユニットケース２３内に時刻電波受信回路（時刻電波受信手段）２２が設けられている。
【００２０】
標準時刻電波は、標準電波送信所から送信される時刻情報をのせた標準電波のことである。
【００２１】
タイムレコーダ本体２内には、カード挿入口３に挿入されたタイムカード（図示せず）を検知するカードセンサ３１と、カード挿入口３に挿入されたタイムカードを所定位置まで引き込む駆動モータ３２と、この駆動モータ３２によって引き込まれたタイムカードに時刻を印字する印字ヘッド（印字手段）３３と、この印字ヘッド３３を駆動させるドライバ３４と、駆動モータ３２を駆動させるドライバ３５と、制御プログラムや文字データ等を記憶したＲＯＭ３６と、起動時にＲＯＭ３６から読み込んだ制御プログラムを格納するとともに印字の際の文字データの処理に用いられるＲＡＭ３７と、時刻を刻む時計回路（時刻手段）３８と、前記時刻データに基づいて時計回路３８の時刻を修正したり表示部４の表示制御や他の制御等を行ったりする制御装置（制御手段）３９と、各回路２２，３８やドライバ３４，３５やカードセンサ３１等に電源電圧を供給する電源回路４０等とが設けられている。
【００２２】
制御装置３９は、ＣＰＵ等から構成され、時刻を修正する修正手段の機能を有している。電源回路４０は図１に示す電源トランス４１を有しており、この電源トランス４１はタイムレコーダ本体２の底部の背板５側であって且つ右側（図１において）に配置されている。
【００２３】
また、電波受信ユニット２０の時刻電波受信回路２２とタイムレコーダ本体２の制御装置３９とはケーブル４２によって接続されており、時刻電波受信回路２２の検波した時刻データがケーブル４２を介して制御装置３９に入力するようになっている。ケーブル４２は、時刻電波受信回路２２の電源用のリード線と、グランド用のリード線と、時刻電波受信回路２２が検波した信号用のリード線と、時刻電波受信回路２２の受信周波数を切り換える切換信号用のリード線の計４本のリード線を有している。
［作  用］
次に、上記の実施形態のタイムレコーダの作用について説明する。
【００２４】
電波受信ユニット２０をタイムレコーダ本体２から離した位置に置く場所がない場合、電波受信ユニット２０を図３に示すようにホルダ１０の上から矢印方向にホルダ１０の当接部１３，１３間に圧入して、図１および図４に示すように電波受信ユニット２０をホルダ１０に装着する。この電波受信ユニット２０が装着されると、電波受信ユニット２０のユニットケース２３の側面が当接部１３，１３により挟持されるとともに、ユニットケース２３の底部がホルダ１０の保持部１４，１４に当接し、ユニットケース２３の背面がホルダ１０の当接部１５，１５に当接する。
【００２５】
そして、図４に示すように、ケーブル４２はホルダ１０の巻付枠１６，１６に巻き付けておく。
【００２６】
電波受信ユニット２０のホルダ１０の装着位置は、タイムレコーダ本体２の電源トランス４１から比較的遠い位置に位置していることにより、電波受信ユニット２０が受ける電源トランス４１からのノイズの影響は小さなものとなり、電波受信ユニット２０の受信性能の低下が防止される。また、表示部４からも比較的遠い位置に位置するので、表示部４が蛍光表示管の場合その表示部４からのノイズの影響も比較的に小さく、電波受信ユニット２０の受信性能の低下を小さく抑えることができる。
【００２７】
ところで、電波受信ユニット２０の時刻電波受信回路２２とタイムレコーダ本体２の制御装置３９とを接続するケーブル４２は４本のリード線を有しているものを使用すればよいので、そのケーブル４２は安価なものとなり、またケーブル４２をコネクタを介して接続するようにしても、そのコネクタのピンの数は少なくて済むので、タイムレコーダは安価なものとなる。
［第２実施形態］
図９は第２実施形態を示したものであり、この第２実施形態では、電波受信ユニット２０をタイムカードラック５０の下部に両面テープ（図示せず）で取り付けたものである。この電波受信ユニット２０をタイムカードラック５０に取り付けることにより、電波受信ユニット２０を置く場所の確保が不要になるとともに、タイムレコーダ本体２の電源トランス４１や表示部４から離れた位置に電波受信ユニット２０を配置することができるので、電波受信ユニット２０の受信性能の低下を来してしまうことが防止される。
【００２８】
この第２実施形態では、電波受信ユニット２０を両面テープでタイムカードラック５０に取り付けているが、これに限らず例えばフック等を介して取り付けてもよい。
【００２９】
また、上記いずれの実施形態では、標準電波送信所から送信される時刻情報をのせた標準時刻電波を受信して時刻を修正するタイムレコーダ１について説明したが、これに限らず、例えば時報信号（時刻信号）の検出によって時刻を修正するタイムレコーダであってもよく、発明の技術的範囲内において種々の設計変更が可能であり、この発明がそれら設計変更されたものに及ぶことは当然である。
【００３０】
【発明の効果】
この発明によれば、ピンの数の多い高価なコネクタを使用せずに済むので、安価なタイムレコーダを提供することができる。
【図面の簡単な説明】
【図１】この発明に係るタイムレコーダの外観を示した斜視図である。
【図２】タイムレコーダ本体の背板と、この背板に取り付けるホルダーを示した斜視図である。
【図３】電波受信ユニットのホルダーへの装着の仕方を示した説明図である。
【図４】電波受信ユニットをホルダーへ装着した状態を示した説明図である。
【図５】ホルダーを示した正面図である。
【図６】図５に示したホルダーの断面図である。
【図７】図６に示すホルダーの平面図である。
【図８】タイムレコーダの回路構成を示したブロック図である。
【図９】第２実施形態の説明図である。
【図１０】従来のタイムレコーダを示した斜視図である。
【図１１】従来のタイムレコーダの回路構成を示したブロック図である。
【符号の説明】
１                    タイムレコーダ
２                    タイムレコーダ本体
４                    表示部（表示手段）
１０                    ホルダ
２０                    電波受信ユニット
２２                    時刻電波受信回路（時刻電波受信手段）
３３                    印字ヘッド（印字手段）
３９                    制御装置（制御手段）
【図１】
2004164015.tif 000003
【図２】
2004164015.tif 000004
【図３】
2004164015.tif 000005
【図４】
2004164015.tif 000006
【図５】
2004164015.tif 000007
【図６】
2004164015.tif 000008
【図７】
2004164015.tif 000009
【図８】
2004164015.tif 000010
【図９】
2004164015.tif 000011
【図１０】
2004164015.tif 000012
【図１１】
2004164015.tif 000013